(57)【要約】【課題】伝送効率を低下させることなく、また複数チャネルのデータ信号を柔軟に伝送できる伝送システムおよび伝送装置を提供する。【解決手段】送信装置１は、各チャネルのデータ信号１００１〜１００ｎに対して、互いに異なる条件式を用いて誤り検出符号を算出し、それぞれの誤り検出符号１０１１〜１０１ｎを付加して得られた各チャネルのデータ信号１０２１〜１０２ｎを多重して送信する。受信装置２は、送信装置１からデータ信号の多重された信号２０１０を受信し、各チャネルのデータ信号に対して、送信装置１にて用いられた全ての条件式を用いて誤り検出符号算出し、送信装置１にてデータ信号に付加された演算結果と一致する演算結果の得られる生成多項式を求め、その生成多項式に対応して各チャネルのデータ信号を識別して振り分ける。【選択図】  図１
2004173178.tif 000002
【特許請求の範囲】
【請求項１】
複数のチャネルのデータ信号を多重伝送する伝送システムであって、
前記各チャネルのデータ信号に対して、互いに異なる条件式を用いて誤り検出符号を算出し、前記データ信号にそれぞれの誤り検出符号を付加し、前記各チャネルのデータ信号を多重して送信する送信装置と、
前記送信装置から前記データ信号の多重された信号を受信し、前記各チャネルのデータ信号に対して、前記送信装置にて用いられた全ての条件式を用いて誤り検出符号を算出し、前記送信装置にて前記データ信号に付加された誤り検出符号と一致する誤り検出符号の算出される条件式を求め、該条件式に対応して前記各チャネルのデータ信号を識別して振り分ける受信装置を有する伝送システム。
【請求項２】
前記各チャネルのデータ信号は固定長パケット化されたデータ信号であり、前記送信装置は、パケット単位で誤り検出符号を算出し、パケット単位で前記誤り検出符号を付加し、前記受信装置は、パケット単位で誤り検出符号を算出し、前記データ信号に付加された誤り検出符号と一致する誤り検出符号の算出される条件式を求め、前記データ信号を振り分ける、請求項１記載の伝送システム。
【請求項３】
前記各チャネルのデータ信号は固定長フレームからなる連続的な信号であり、前記送信装置は、フレーム単位で誤り検出符号を算出し、フレーム単位で前記誤り検出符号を付加し、前記受信装置は、フレーム単位で誤り検出符号を算出し、前記データ信号に付加された誤り検出符号と一致する誤り検出符号の算出される条件式を求め、前記データ信号を振り分ける、請求項１記載の伝送システム。
【請求項４】
前記送信装置は、前記各チャネルのデータ信号に前記誤り検出符号を付加し、バイト単位で時分割多重して送信し、
前記受信装置は、バイト単位で時分割多重された信号を受信し、バイト単位で時分割多重された前記各チャネルのデータ信号に対して誤り検出符号を算出し、前記データ信号に付加された誤り検出符号と一致する誤り検出符号の算出される条件式を求め、前記データ信号を振り分ける、請求項１記載の伝送システム。
【請求項５】
相互に接続されて、複数のチャネルのデータ信号を多重伝送する伝送システムを構成する伝送装置であって、
前記各チャネルのデータ信号に対して、互いに異なる条件式を用いて誤り検出符号を算出し、前記データ信号にそれぞれの誤り検出符号を付加し、前記各チャネルのデータ信号を多重して対向装置に送信する送信部と、
対向装置の送信部から複数のチャネルのデータ信号の多重された信号を受信し、前記各チャネルのデータ信号に対して、前記対向装置にて用いられた全ての条件式を用いて誤り検出符号を算出し、前記対向装置にて前記データ信号に付加された誤り検出符号と一致する誤り検出符号の算出される条件式を求め、該条件式に対応して前記各チャネルのデータ信号を識別して振り分ける受信部を有する伝送システム。
【請求項６】
前記各チャネルのデータ信号は固定長パケット化されたデータ信号であり、前記送信部は、パケット単位で誤り検出符号を算出し、パケット単位で前記誤り検出符号を付加し、前記受信部は、パケット単位で誤り検出符号を算出し、前記データ信号に付加された誤り検出符号と一致する誤り検出符号の算出される条件式を求め、前記データ信号を振り分ける、請求項５記載の伝送装置。
【請求項７】
前記各チャネルのデータ信号は固定長フレームからなる連続的な信号であり、前記送信部は、フレーム単位で誤り検出符号を算出し、フレーム単位で前記誤り検出符号を付加し、前記受信部は、フレーム単位で誤り検出符号を算出し、前記データ信号に付加された誤り検出符号と一致する誤り検出符号の算出される条件式を求め、前記データ信号を振り分ける、請求項５記載の伝送装置。
【請求項８】
前記送信部は、前記各チャネルのデータ信号に前記誤り検出符号を付加し、バイト単位で時分割多重して送信し、
前記受信部は、バイト単位で時分割多重された信号を受信し、バイト単位で時分割多重された前記各チャネルのデータ信号に対して誤り検出符号を算出し、前記データ信号に付加された誤り検出符号と一致する誤り検出符号の算出される条件式を求め、前記データ信号を振り分ける、請求項５記載の伝送装置。
【請求項９】
複数のチャネルのデータ信号を方路切替情報に基づいてスイッチングして所定の方路に出力する伝送装置であって、
前記チャネルに対応して設けられ、互いに異なる条件式を用いて、該チャネルのデータ信号に対して誤り検出符号を算出し、該データ信号に誤り検出符号を付加して送信する複数の個別処理部と、
前記方路切替情報に基づいて、誤り検出符合の算出に用いる条件式を前記各個別処理部に指示する条件式選択制御部と、
全ての前記個別処理部から、前記誤り検出符号の付加された前記データ信号を受信し、それぞれの前記データ信号に対して、前記各個別処理部で用いられた全ての条件式を用いて誤り検出符号を算出し、前記データ信号に付加されている誤り検出符号と一致する誤り検出符号の算出される条件式を求め、該条件式に対応して前記データ信号を出力する方路を選択するスイッチ部を有する伝送装置。
【発明の詳細な説明】
【０００１】
【発明の属する技術分野】
本発明は、複数のチャネルを多重化する多重化伝送システムに関し、特に、各チャネルのデータ信号に対して対向装置間でＣＲＣチェックを行う多重化伝送システムに関する。
【０００２】
【従来の技術】
従来の多重化伝送システムは、送信装置でデータ信号にフレーム同期パタンを付加して送り、受信装置でそのフレーム同期パタンを検出することによりフレーム同期を確立し、多重化された各チャネルを識別していた。
【０００３】
また、従来の他の多重化伝送システムは、フレーム同期パタンを用いず、送信装置でデータ信号にＣＲＣ演算結果を付加して送り、受信装置でＣＲＣチェックを行い、演算結果と一致した位置からチャネルのフレームを検出していた。
【０００４】
さらに他の多重化伝送システムは、送信装置で複数チャネルのうち１チャネルだけ他のチャネルと異なる生成多項式を用いてＣＲＣ演算を行い、受信装置でそれを検出することによりフレーム同期を確立し、各チャネルを識別していた。（例えば、特許文献１参照）
【０００５】
【特許文献１】
特開平７−１７７１３６号公報
【０００６】
【発明が解決しようとする課題】
フレーム同期パタンを用いてフレーム同期を確立した後に、そのフレームに多重化された各チャネルを識別する従来の多重化伝送システムでは、チャネルを識別するために、各チャネルのデータ信号をフレームに多重する順序が送信装置と受信装置の間で予め固定的に取り決められている必要がある。そのため、複数チャネルを多重化するときに送信装置は任意の順序で多重化できず、チャネル収容の柔軟性が低いという問題があった。
【０００７】
また、ＣＲＣチェックを行うことにより多重化された各チャネルのフレームを識別する多重化伝送システムでは、各チャネルのフレームを検出した後に各チャネルを識別する必要がある。そのため、各チャネルのデータ信号にチャネル識別情報を負荷する必要があり、それによって伝送効率が低下するという問題があった。
【０００８】
本発明の目的は、伝送効率を低下させることなく、また複数チャネルのデータ信号を柔軟に伝送できる伝送システムおよび伝送装置を提供することである。
【０００９】
【課題を解決するための手段】
上記目的を達成するために、本発明の伝送システムは、複数のチャネルのデータ信号を多重伝送する伝送システムであって、各チャネルのデータ信号に対して、互いに異なる条件式を用いて誤り検出符号を算出し、データ信号にそれぞれの誤り検出符号を付加し、各チャネルのデータ信号を多重して送信する送信装置と、送信装置からデータ信号の多重された信号を受信し、各チャネルのデータ信号に対して、送信装置にて用いられた全ての条件式を用いて誤り検出符号を算出し、送信装置にてデータ信号に付加された誤り検出符号と一致する誤り検出符号の算出される条件式を求め、その条件式に対応して各チャネルのデータ信号を識別して振り分ける受信装置を有している。
【００１０】
したがって、本発明の伝送システムによれば、各チャネルのデータ信号に対する誤り検出符号の算出が互いに異なる条件式を用いて行われ、それによりチャネルが識別されるので、送信装置によってチャネル識別情報がデータ信号に付加されていなくても、受信装置にて各チャネルのデータ信号を識別し、振り分けることができる。
【００１１】
また、本発明の一態様によれば、各チャネルのデータ信号は固定長パケット化されたデータ信号であり、送信装置は、パケット単位で誤り検出符号を算出し、パケット単位で誤り検出符号を付加し、受信装置は、パケット単位で誤り検出符号を算出し、データ信号に付加された誤り検出符号と一致する誤り検出符号の算出される条件式を求め、データ信号を振り分ける。
【００１２】
また、本発明の一態様によれば、各チャネルのデータ信号は固定長フレームからなる連続的な信号であり、送信装置は、フレーム単位で誤り検出符号を算出し、フレーム単位で誤り検出符号を付加し、受信装置は、フレーム単位で誤り検出符号を算出し、データ信号に付加された誤り検出符号と一致する誤り検出符号の算出される条件式を求め、データ信号を振り分ける。
【００１３】
また、本発明の一態様によれば、送信装置は、各チャネルのデータ信号に誤り検出符号を付加し、バイト単位で時分割多重して送信し、受信装置は、バイト単位で時分割多重された信号を受信し、バイト単位で時分割多重された各チャネルのデータ信号に対して誤り検出符号を算出し、データ信号に付加された誤り検出符号と一致する誤り検出符号の算出される条件式を求め、データ信号を振り分ける。
【００１４】
本発明の伝送装置は、相互に接続されて、複数のチャネルのデータ信号を多重伝送する伝送システムを構成する伝送装置であって、各チャネルのデータ信号に対して、互いに異なる条件式を用いて誤り検出符号を算出し、データ信号にそれぞれの誤り検出符号を付加し、各チャネルのデータ信号を多重して対向装置に送信する送信部と、対向装置の送信部から複数のチャネルのデータ信号の多重された信号を受信し、各チャネルのデータ信号に対して、対向装置にて用いられた全ての条件式を用いて誤り検出符号を算出し、対向装置にてデータ信号に付加された誤り検出符号と一致する誤り検出符号の算出される条件式を求め、その条件式に対応して各チャネルのデータ信号を識別して振り分ける受信部を有している。
【００１５】
また、本発明の一態様によれば、各チャネルのデータ信号は固定長パケット化されたデータ信号であり、送信部は、パケット単位で誤り検出符号を算出し、パケット単位で誤り検出符号を付加し、受信部は、パケット単位で誤り検出符号を算出し、データ信号に付加された誤り検出符号と一致する誤り検出符号の算出される条件式を求め、データ信号を振り分ける。
【００１６】
また、本発明の一態様によれば、各チャネルのデータ信号は固定長フレームからなる連続的な信号であり、送信部は、フレーム単位で誤り検出符号を算出し、フレーム単位で誤り検出符号を付加し、受信部は、フレーム単位で誤り検出符号を算出し、データ信号に付加された誤り検出符号と一致する誤り検出符号の算出される条件式を求め、データ信号を振り分ける。
【００１７】
また、本発明の一態様によれば、送信部は、各チャネルのデータ信号に誤り検出符号を付加し、バイト単位で時分割多重して送信し、受信部は、バイト単位で時分割多重された信号を受信し、バイト単位で時分割多重された各チャネルのデータ信号に対して誤り検出符号を算出し、データ信号に付加された誤り検出符号と一致する誤り検出符号の算出される条件式を求め、データ信号を振り分ける。
【００１８】
本発明の他の伝送装置は、複数のチャネルのデータ信号を方路切替情報に基づいてスイッチングして所定の方路に出力する伝送装置であって、チャネルに対応して設けられ、互いに異なる条件式を用いて、そのチャネルのデータ信号に対して誤り検出符号を算出し、そのデータ信号に誤り検出符号を付加して送信する複数の個別処理部と、方路切替情報に基づいて、誤り検出符合の算出に用いる条件式を各個別処理部に指示する条件式選択制御部と、全ての個別処理部から、誤り検出符号の付加されたデータ信号を受信し、それぞれのデータ信号に対して、各個別処理部で用いられた全ての条件式を用いて誤り検出符号を算出し、データ信号に付加されている誤り検出符号と一致する誤り検出符号の算出される条件式を求め、該条件式に対応して前記データ信号を出力する方路を選択するスイッチ部を有している。
【００１９】
したがって、本発明の伝送装置によれば、各データ信号に対する誤り検出符号の算出が、互いに異なる条件式を用いて行われ、それによりチャネルが識別されるので、各データ信号に方路識別情報を付加したり、スイッチ部に方路識別情報を与えなくても、各入力チャネルのデータ信号を所望の出力チャネルにスイッチングすることができる。
【００２０】
【発明の実施の形態】
本発明の実施形態について図面を参照して詳細に説明する。
【００２１】
図１は、本発明の第１の実施形態の多重化伝送システムの構成を示すブロック図である。図１を参照すると、本実施形態の多重化伝送方式は、送信装置１と受信装置２を有している。
【００２２】
送信装置１は、個別処理部１０１〜１０ｎ、多重化部１３およびフレーム生成部１４を有している。個別処理部１０１〜１０ｎは、演算結果挿入部１１１〜１１ｎおよびＣＲＣ演算部１２１〜１２ｎをそれぞれ有している。
【００２３】
ＣＲＣ演算部１２１〜１２ｎは、それぞれ互いに異なる生成多項式を用いてＣＲＣ演算を行う機能を有している。ＣＲＣ演算部１２１〜１２ｎは、与えられた各チャネルのデータ信号１００１〜１００ｎに対してＣＲＣ演算を行い、その演算結果１０１１〜１０１ｎを演算結果挿入部１１１〜１１ｎにそれぞれ送る。
【００２４】
演算結果挿入部１１１〜１１ｎは、与えられた各チャネルのデータ信号１００１〜１００ｎに、ＣＲＣ演算部１２１〜１２ｎから受信したＣＲＣ演算結果１０１１〜１０１ｎを付加してデータ信号１０２１〜１０２ｎとして多重化部１３に送る。
【００２５】
多重化部１３は、各演算結果挿入部１１１〜１１ｎから受信した各チャネルのデータ信号１０２１〜１０２ｎを時分割多重し、得られた多重化信号１０３０をフレーム生成部１４に送る。
【００２６】
フレーム生成部１４は、多重化部１３から受信した多重化信号１０３０に対して、多重化信号伝送フレームを構成するためのフレーム情報を付加し、多重化フレーム信号１０４０として伝送路３に送出する。
【００２７】
受信装置２は、フレーム同期部２１、分離部２２およびＣＲＣチェック部２３を有している。
【００２８】
フレーム同期部２１は、送信装置１から伝送路３を介して受信した多重化フレーム信号２０１０のフレーム同期をとり、フレーム同期のとられた多重化信号２０２０を分離部２２およびＣＲＣチェック部２３に送る。
【００２９】
ＣＲＣチェック部２３は、送信装置１の全てのＣＲＣ演算部１２１〜１２ｎで用いられる生成多項式を記憶しており、フレーム同期部２１から受信した多重化信号２０２０の各チャネルのデータ信号に対して全ての生成多項式によるＣＲＣチェックを行う。そして、ＣＲＣチェック部２３は、各チャネルのデータ信号に対する各生成多項式によるＣＲＣチェックの結果をＣＲＣチェック結果信号２０３０として分離部２２に送る。ＣＲＣチェック結果信号２０３０は、各チャネルのデータ信号と、そのＣＲＣ演算結果が一致した生成多項式との対応関係を示している。
【００３０】
分離部２２は、多重化信号２０２０を各チャネルのデータ信号に分離する。そして、分離部２２は、ＣＲＣチェック部２３から受信したＣＲＣチェック結果信号２０３０に従って各チャネルを識別し、各チャネルのデータ信号を識別結果に応じてデータ信号２０４１〜２０４ｎとして振り分ける。
【００３１】
図２は、本発明の第１の実施形態の多重化伝送システムにおけるデータ信号の多重化の様子を示す図である。
【００３２】
送信装置１のデータ信号１００１〜１００ｎは固定長パケット化され、演算結果挿入部１１１〜１１ｎおよびＣＲＣ演算部１２１〜１２ｎにそれぞれ与えられる。これらの固定長パケットは、図２においてデータ信号Ｄ１１〜Ｄｎｍとして示されている。
【００３３】
ＣＲＣ演算部１２１〜１２ｎは、互いに異なる同次数の生成多項式を用いて固定長パケット毎にＣＲＣ演算を行い、ＣＲＣ演算結果１０１１〜１０１ｎを演算結果挿入部１１１〜１１ｎに送る。各固定長パケットＤ１１〜Ｄｎｍに対するＣＲＣ演算結果は、図２においてＣＲＣ演算結果Ｃ１１〜Ｃｎｍとして示されている。
【００３４】
各演算結果挿入部１１１〜１１ｎでは、固定長パケットにＣＲＣ演算結果が付加されてデータ信号１０２１〜１０２ｎとして多重化部１３に送られる。
【００３５】
ＣＲＣ演算結果が付加されたデータ信号１０２１〜１０２ｎは、図２に示すように固定長のデータ信号と固定長のＣＲＣ演算結果とが周期的に現れる信号である。こららのデータ信号１０２１〜１０２ｎは、図２に示すように、多重化部１３にて固定長パケット毎に時分割多重されて多重化信号１０３０となる。そして、多重化信号１０３０はフレーム生成部１４にてフレーム同期のためのフレーム情報が付加され、伝送路３に送出される。
【００３６】
一方、受信装置２にて受信された多重化信号２０１０は、フレーム同期部２１にてフレーム同期を確立された後、多重化信号２０２０として分離部２２およびＣＲＣチェック部２３に送られる。
【００３７】
ＣＲＣチェック部２３において、多重化信号２０２０に多重化されている固定長パケットに対して、ＣＲＣ演算部１２１〜１２ｎで用いられている全ての生成多項式を用いたＣＲＣチェックが行われる。
【００３８】
この多重化信号２０２０は、送信装置１における多重化信号１０３０と同等の信号である。フレーム情報を除くフレームの先頭から各固定長パケットに対してＣＲＣチェックが行われ、固定長パケットと演算結果の一致した生成多項式との対応を表すＣＲＣチェック結果信号２０３０が分離部２２に送られる。分離部２２では、ＣＲＣチェック結果信号２０３０に基づいて多重化信号２０２０内の各チャネルが識別され、各固定長パケットのデータ信号が各チャネルに対応する出力先に、データ信号２０４１〜２０４ｎとして送られる。
【００３９】
以上説明したように、本実施形態の多重化伝送システムによれば、各チャネルのデータ信号に対するＣＲＣ演算が互いに異なる生成多項式を用いて行われ、それによりチャネルが識別されるので、送信装置１によってチャネル識別情報がデータ信号に付加されていなくても、受信装置２にて各チャネルのデータ信号を識別し、振り分けることができる。
【００４０】
なお、本実施形態では、図２に示したように、送信装置１において各データ信号１０２１〜１０２ｎの固定長パケットの位相が揃っている場合について示したが、本発明はそれに限定されず、互いに異なる位相であってもよい。
【００４１】
また、本実施形態では、多重化するデータ信号１０２１〜１０２ｎのパケット長が同じなので、送信装置１はデータ信号１０２１〜１０２ｎを任意の順序で多重化してよい。
【００４２】
また、本実施形態では、送信装置１と受信装置２とが異なる構成の多重化伝送システムを例示したが、図１に示された送信装置１および受信装置２の双方の機能を持った伝送装置を対向させて多重化伝送システムを構成することも可能である。
【００４３】
また、本実施形態では、多重化方式として時分割多重方式を用いた例を示したが、本発明はそれに限定されず、周波数多重や波長多重などの他の方式を用いてもよい。
【００４４】
本発明の第２の実施形態について説明する。
【００４５】
第２の実施形態の多重伝送システムは、図１に示した第１の実施形態と同様の構成である。ただし、第２の実施形態は、データ信号１０２１〜１０２ｎが固定長パケットでなく、フレームからなる連続的な信号である点で、第１の実施形態と異なる。
【００４６】
送信装置１は、ＣＲＣ演算部１２１〜１２ｎにて固定長のフレーム単位でＣＲＣ演算を行い、演算結果挿入部１１１〜１１ｎにてフレーム単位で演算結果を付加する構成である。
【００４７】
第２の実施形態によれば、第１の実施形態と同様に、各チャネルのデータ信号に対するＣＲＣ演算が互いに異なる生成多項式を用いて行われ、それによりチャネルが識別されるので、送信装置１によってチャネル識別情報がデータ信号に付加されていなくても、受信装置２にて各チャネルのデータ信号を識別し、振り分けることができる。
【００４８】
本発明の第３の実施形態について説明する。
【００４９】
第３の実施形態の多重伝送システムは、図１に示したものと同様の構成である。ただし、第３の実施形態は、データ信号１０２１〜１０２ｎが固定長パケットやフレーム単位で多重されるのではなく、バイト単位で多重される点で第１および第２の実施形態と異なる。
【００５０】
送信装置１は、多重化部１３にて、データ信号１０２１〜１０２ｎのパケットやフレームの区切りに関係なく、データ信号１０２１〜１０２ｎをバイト単位で多重する。ＣＲＣ演算部１２１〜１２ｎにおけるＣＲＣ演算範囲はパケット毎であってもよく、フレーム毎であってもよい。また、受信装置２は、ＣＲＣチェック部２３にて、バイト毎に多重された各チャネルのデータ信号に対してＣＲＣチェックを行う。
【００５１】
第３の実施形態によれば、第１および第２の実施形態と同様に、各チャネルのデータ信号に対するＣＲＣ演算が互いに異なる生成多項式を用いて行われ、それによりチャネルが識別されるので、送信装置１によってチャネル識別情報がデータ信号に付加されていなくても、受信装置２にて各チャネルのデータ信号を識別し、振り分けることができる。
【００５２】
本発明の第４の実施形態について説明する。
【００５３】
図３は、本発明の第４の実施形態の伝送装置の構成を示すブロック図である。
【００５４】
第４の実施形態の伝送装置は、複数のデータ信号１００１〜１００ｎを入力とし、複数のデータ信号２０４１〜２０４ｎを出力とし、所定の方路切替情報４００１に基づいて各入力と各出力の間のスイッチングを行う。方路切替情報４００１は、入力と出力とを対応付けた情報である。
【００５５】
図３に示すように、本実施形態の伝送装置は、個別処理部１０１〜１０ｎ、スイッチ部４および生成多項式選択制御部５を有している。
【００５６】
個別処理部１０１〜１０ｎは、演算結果挿入部１１１〜１１ｎおよびＣＲＣ演算部１２１〜１２ｎをそれぞれ有している。
【００５７】
ＣＲＣ演算部１２１〜１２ｎは、生成多項式選択制御部５からの指示に従って、それぞれ互いに異なる生成多項式を用いてＣＲＣ演算を行う機能を有している。ＣＲＣ演算部１２１〜１２ｎは、与えられた各チャネルのデータ信号１００１〜１００ｎに対してＣＲＣ演算を行い、その演算結果１０１１〜１０１ｎを演算結果挿入部１１１〜１１ｎにそれぞれ送る。
【００５８】
演算結果挿入部１１１〜１１ｎは、与えられた各チャネルのデータ信号１００１〜１００ｎに、ＣＲＣ演算部１２１〜１２ｎから受信したＣＲＣ演算結果１０１１〜１０１ｎを付加し、データ信号１０２１〜１０２ｎとしてスイッチ部４に送る。
【００５９】
生成多項式選択制御部５は、方路切替情報４００１に基づき、ＣＲＣ演算に用いる生成多項式を各ＣＲＣ演算部１２１〜１２ｎに指示する生成多項式選択信号４００２を生成し、ＣＲＣ演算部１２１〜１２ｎに送る。
【００６０】
スイッチ部４は、ＣＲＣチェック部２３１〜２３ｎおよびチャネル選択制御部４１を有している。
【００６１】
ＣＲＣチェック部２３１〜２３ｎは、データ信号１０２１〜１０２ｎにそれぞれ対応しており、また、全てのＣＲＣ演算部１２１〜１２ｎで用いられる生成多項式を記憶している。
【００６２】
ＣＲＣチェック部２３１〜２３ｎは、それぞれに対応するデータ信号１０２１〜１０２ｎに対して全ての生成多項式によるＣＲＣチェックを行う。そして、ＣＲＣチェック部２３は、各データ信号１０２１〜１０２ｎに対する各生成多項式によるＣＲＣチェックの結果をＣＲＣチェック結果信号２０３１〜２０３ｎとしてチャネル選択制御部４１にそれぞれに送る。ＣＲＣチェック結果信号２０３１〜２０３ｎは、各データ信号１０２１〜１０２ｎのＣＲＣ演算結果が一致した生成多項式を示している。
【００６３】
チャネル選択制御部４１は、各データ信号１０２１〜１０２ｎに対応するＣＲＣチェック結果信号２０３１〜２０３ｎに従って各データ信号１０２１〜１０２ｎの出力先を選択し、データ信号２０４１〜２０４ｎとして出力する。
【００６４】
以上説明したように、本実施形態の伝送装置によれば、各データ信号に対するＣＲＣ演算が互いに異なる生成多項式を用いて行われ、それによりチャネルが識別されるので、各データ信号に方路識別情報を付加したり、スイッチ部４に方路識別情報を与えなくても、各入力チャネルのデータ信号を所望の出力チャネルにスイッチングすることができる。
【００６５】
なお、上述した各実施形態では、各チャネルに対して、互いに異なる生成多項式を用いてＣＲＣ演算を行うことにより、チャネルを識別することとしたが、本発明はそれに限定されない。ＣＲＣの代わりに他の誤り検出符号を用いてもよい。その場合、各チャネルのデータ信号に対して、互いに異なる条件式を用いて誤り検出符号を算出すればよい。
【００６６】
【発明の効果】
本発明によれば、各チャネルのデータ信号に対する誤り検出符号の算出が互いに異なる条件式を用いて行われ、それによりチャネルが識別されるので、送信側でチャネル識別情報がデータ信号に付加されていなくても、受信側で各チャネルのデータ信号を識別し、振り分けることができ、チャネル識別情報で伝送効率を低下させることなく、また、複数チャネルのデータ信号を任意の順序で柔軟に多重して伝送することができる。
【００６７】
また、各データ信号に対する誤り検出符号が互いに異なる条件式を用いて行われ、それによりチャネルが識別されるので、各データ信号に方路識別情報を付加したり、スイッチ部に方路識別情報を与えなくても、各入力チャネルのデータ信号を所望の出力チャネルにスイッチングすることができる。
【図面の簡単な説明】
【図１】
本発明の第１の実施形態の多重化伝送システムの構成を示すブロック図である。
【図２】
本発明の第１の実施形態の多重化伝送システムにおけるデータ信号の多重化の様子を示す図である。
【図３】
本発明の第４の実施形態の伝送装置の構成を示すブロック図である。
【符号の説明】
１    送信装置
１０１〜１０ｎ    個別処理部
１１１〜１１ｎ    演算結果挿入部
１２１〜１２ｎ    ＣＲＣ演算部
１３    多重化部
１４    フレーム生成部
２    受信装置
２１    フレーム同期部
２２    分離部
２３、２３１〜２３ｎ    ＣＲＣチェック部
３    伝送路
４    スイッチ部
４１    チャネル選択制御部
５    生成多項式選択制御部
１００１〜１００ｎ、１０２１〜１０２ｎ、２０４１〜２０４ｎ    データ信号
１０１１〜１０１ｎ    ＣＲＣ演算結果
１０３０、２０２０    多重化信号
１０４０、２０１０    多重化フレーム信号
２０３０、２０３１〜２０３ｎ    ＣＲＣチェック結果信号
４００１    方路切替情報
４００２    生成多項式選択信号
【図１】
2004173178.tif 000003
【図２】
2004173178.tif 000004
【図３】
2004173178.tif 000005